(57)【要約】      （修正有）【課題】複数が隣接して設けられたとしても、一方のハンドル部を、他方のハンドル部を避けつつ摘むことが容易なフェイスプレートおよびそのフェイスプレートを備えた電子装置を提供する。【解決手段】スロットへの基板の抜出方向側に取り付けられるフェイスプレート１２であって、スロットの開口部を覆う本体部３２と、基板の幅方向に関して本体部３２の両端部３４、３６に設けられ、抜出方向に延びた２つのハンドル部４２と、を備える。２つのハンドル部４２の各々の先端部４８は、基板の厚み方向に関して互いにずれている。スロットは、電子装置の筐体に厚み方向に沿って複数形成される。【選択図】図２
2020136317.tif 000002
【特許請求の範囲】
【請求項１】
スロットへの基板の挿入方向とは反対方向の抜出方向側で、前記基板に取り付けられるフェイスプレートであって、
前記スロットに前記基板が挿入されたときに前記スロットの開口部を覆う本体部と、
前記基板の幅方向に関して前記本体部の両端部に設けられ、前記抜出方向に延びた２つのハンドル部と、
を備え、
２つの前記ハンドル部の各々の先端部は、前記基板の厚み方向に関して互いにずれている、フェイスプレート。
【請求項２】
請求項１に記載のフェイスプレートであって、
２つの前記ハンドル部の各々の前記先端部は、前記抜出方向に平行な方向を向いた、フェイスプレート。
【請求項３】
請求項１に記載のフェイスプレートであって、
２つの前記ハンドル部のうちの一方の前記先端部は、前記抜出方向の前記厚み方向の一方側に向かって斜めを向き、
２つの前記ハンドル部のうちの他方の前記先端部は、前記抜出方向の前記厚み方向の他方側に向かって斜めを向いた、フェイスプレート。
【請求項４】
請求項１に記載のフェイスプレートであって、
２つの前記ハンドル部のうちの一方の前記先端部は、前記厚み方向と平行であって前記厚み方向の一方側の方向を向き、
２つの前記ハンドル部のうちの他方の前記先端部は、前記厚み方向と平行であって前記厚み方向の他方側の方向を向いた、フェイスプレート。
【請求項５】
請求項１〜４のいずれか１項に記載のフェイスプレートであって、
２つの前記ハンドル部の各々の基端部は、前記厚み方向に関して互いに同じ位置である、フェイスプレート。
【請求項６】
請求項１〜５のいずれか１項に記載のフェイスプレートであって、
２つの前記ハンドル部のうちの一方は、前記一方の前記ハンドル部の基端部から前記抜出方向の前記厚み方向の一方側に向かって斜めに延び、
２つの前記ハンドル部のうちの他方は、前記他方の前記ハンドル部の基端部から前記抜出方向の前記厚み方向の他方側に向かって斜めに延びた、フェイスプレート。
【請求項７】
請求項１〜６のいずれか１項に記載のフェイスプレートであって、
前記本体部の両端側で前記スロットと係合する係合部材をさらに備え、
前記ハンドル部は、前記係合部材に取り付けられ、
前記ハンドル部は、前記スロットと前記係合部材との係合を解除する方向に移動したとき、前記スロットと前記係合部材との係合を解除する、フェイスプレート。
【請求項８】
基板が挿入方向に沿って挿入されるスロットが形成された筐体を有する電子装置であって、
前記スロットは、前記スロットの開口部が前記基板の幅方向に沿って互いに隣接するように、前記筐体に少なくとも２つ形成され、
前記挿入方向とは反対方向の抜出方向側で前記基板に取り付けられるフェイスプレートを備え、
前記フェイスプレートは、
前記スロットに前記基板が挿入されたときに前記スロットの開口部を覆う本体部と、
前記幅方向に関して前記本体部の両端部に設けられ、前記抜出方向に延びた２つのハンドル部と、
を有し、
前記幅方向で隣接する２つの前記フェイスプレートの各々において、２つの前記ハンドル部の各々の先端部は、前記基板の厚み方向に関して互いにずれており、且つ、一方の前記フェイスプレートの、他方の前記フェイスプレート側の前記ハンドル部の先端部と、前記他方の前記フェイスプレートの、前記一方の前記フェイスプレート側の前記ハンドル部の前記先端部とは、前記厚み方向に関して互いにずれている、電子装置。
【請求項９】
請求項８に記載の電子装置であって、
前記フェイスプレートにおいて、２つの前記ハンドル部の各々の前記先端部は、前記抜出方向に平行な方向を向いた、電子装置。
【請求項１０】
請求項９に記載の電子装置であって、
前記フェイスプレートにおいて、２つの前記ハンドル部のうちの一方の前記先端部は、前記抜出方向の前記厚み方向の一方側に向かって斜めを向き、
他方の前記先端部は、前記抜出方向の前記厚み方向の他方側に向かって斜めを向いた、電子装置。
【請求項１１】
請求項８に記載の電子装置であって、
前記フェイスプレートにおいて、２つの前記ハンドル部のうちの一方の前記先端部は、前記厚み方向と平行であって前記厚み方向の一方側の方向を向き、
他方の前記先端部は、前記厚み方向と平行であって前記厚み方向の他方側の方向を向いた、電子装置。
【請求項１２】
請求項８〜１１のいずれか１項に記載の電子装置であって、
前記フェイスプレートにおいて、２つの前記ハンドル部の各々の基端部は、前記厚み方向に関して互いに同じ位置である、電子装置。
【請求項１３】
請求項８〜１２のいずれか１項に記載の電子装置であって、
前記フェイスプレートにおいて、２つの前記ハンドル部のうちの一方の前記ハンドル部は、前記一方の前記ハンドル部の基端部から前記抜出方向の前記厚み方向の一方側に向かって斜めに延び、
他方の前記ハンドル部は、前記他方の前記ハンドル部の基端部から前記抜出方向の前記厚み方向の他方側に向かって斜めに延びた、電子装置。
【請求項１４】
請求項８〜１３のいずれか１項に記載の電子装置であって、
前記フェイスプレートは、前記本体部の両端側で前記スロットと係合する係合部材をさらに備え、
前記ハンドル部は、前記係合部材に取り付けられ、
前記ハンドル部は、前記スロットと前記係合部材との係合を解除する方向に移動したとき、前記スロットと前記係合部材との係合を解除する、電子装置。
【発明の詳細な説明】
【技術分野】
【０００１】
本発明は、フェイスプレート、および電子装置に関する。
【背景技術】
【０００２】
基板を挿入することができるスロットが設けられた電子装置が、一般に知られている。また、そのような電子装置は、特許文献１に開示されるように、基板がスロットに挿入されたときに当該スロットの開口部を覆うフェイスプレートを有することがある。
【先行技術文献】
【特許文献】
【０００３】
【特許文献１】特開２０１１−７１３９６号公報
【発明の概要】
【発明が解決しようとする課題】
【０００４】
１つの電子装置に設けられるスロットの数は、電子装置の多機能化に伴って増加する傾向にある。また、複数のスロットが設けられた電子装置では、互いに隣接して設けられる２つのスロット同士の間隔が、電子装置の小型化に伴って狭くなる傾向にある。２つのスロット同士の間隔が狭くなると、その２つのスロットの各々を覆ったフェイスプレート同士の間隔も狭くなる。
【０００５】
フェイスプレートには、電子装置から取り外すときに、取り外し作業を行うオペレータが当該フェイスプレートを摘むためのハンドル部（摘まみ、取手）を備えたものがある。しかしながら、隣接した２つのフェイスプレート同士の間隔が狭い場合には、取り外そうとするフェイスプレートのハンドル部を摘む際に、周囲にある他のハンドル部が邪魔となる。
【０００６】
そこで、本発明は、複数が隣接して設けられたとしてもハンドル部を摘むことが容易なフェイスプレート、および、そのようなフェイスプレートを備えた電子装置を提供することを目的とする。
【課題を解決するための手段】
【０００７】
発明の一つの態様は、スロットへの基板の挿入方向とは反対方向の抜出方向側で、前記基板に取り付けられるフェイスプレートであって、前記スロットに前記基板が挿入されたときに前記スロットの開口部を覆う本体部と、前記基板の幅方向に関して前記本体部の両端部に設けられ、前記抜出方向に延びた２つのハンドル部と、を備え、２つの前記ハンドル部の各々の先端部は、前記基板の厚み方向に関して互いにずれている。
【０００８】
発明のもう一つの態様は、基板が挿入方向に沿って挿入されるスロットが形成された筐体を有する電子装置であって、前記スロットは、前記スロットの開口部が前記基板の幅方向に沿って互いに隣接するように、前記筐体に少なくとも２つ形成され、前記挿入方向とは反対方向の抜出方向側で前記基板に取り付けられるフェイスプレートを備え、前記フェイスプレートは、前記スロットに前記基板が挿入されたときに前記スロットの開口部を覆う本体部と、前記幅方向に関して前記本体部の両端部に設けられ、前記抜出方向に延びた２つのハンドル部と、を有し、前記幅方向に沿って互いに隣接する２つの前記フェイスプレートの各々において、２つの前記ハンドル部の各々の先端部は、前記基板の厚み方向に関して互いにずれており、且つ、一方の前記フェイスプレートの、他方の前記フェイスプレート側の前記ハンドル部の先端部と、前記他方の前記フェイスプレートの、前記一方の前記フェイスプレート側の前記ハンドル部の前記先端部とは、前記厚み方向に関して互いにずれている。
【発明の効果】
【０００９】
本発明によれば、複数が隣接して設けられたとしてもハンドル部を摘むことが容易なフェイスプレート、および、そのようなフェイスプレートを備えた電子装置が提供される。
【図面の簡単な説明】
【００１０】
【図１】実施の形態の電子装置の斜視図（その１）である。
【図２】図２Ａは、実施の形態のフェイスプレートの斜視図である。図２Ｂは、図２Ａの別視点である。
【図３】実施の形態のフェイスプレートの側面図である。
【図４】実施の形態の電子装置の斜視図（その２）である。
【図５】フェイスプレートが取り付けられた電子装置の斜視図である。
【図６】図６Ａは、変形例１のフェイスプレートの側面図である。図６Ｂは、変形例１のもう一つのフェイスプレートの側面図である。
【図７】図７Ａは、変形例２のフェイスプレートの斜視図である。図７Ｂは、図７Ａの別視点（側面図）である。
【図８】図８Ａは、変形例３のフェイスプレートの斜視図である。図８Ｂは、図８Ａの別視点（側面図）である。
【発明を実施するための形態】
【００１１】
本発明について、好適な実施の形態を挙げ、添付の図面を参照しながら以下、詳細に説明する。なお、以下に記載する各方向は、各図面に示された矢印に従うものとする。
【００１２】
［実施の形態］
図１は、実施の形態の電子装置１０の斜視図（その１）である。
【００１３】
本実施の形態の電子装置１０は、例えば、演算機能が備わる数値制御装置である。電子装置１０は、筐体１４と、筐体１４に形成された複数のスロット１６と、筐体１４に取り付けられることでスロット１６の開口部１８を覆うフェイスプレート１２と、フェイスプレート１２が取り付けられた基板２０と、を備える。
【００１４】
複数のスロット１６は、図１のように、左右方向で２つ以上のスロット１６が互いに隣接するように、筐体１４に形成される。また、図１のように、筐体１４の前方向側から見たときの開口部１８の形状は、本実施の形態では矩形状である。複数のスロット１６には、各々の開口部１８を介して、基板２０を後方向（挿入方向）に沿って挿入することができる。
【００１５】
基板２０は、例えば、所定の電気回路が形成されたプリント基板である。基板２０は、左右方向（幅方向）に沿った所定の幅と、上下方向（厚み方向）に沿った所定の厚みと、を有する。基板２０は、後方向側の端部２２に第１コネクタ２４を有する。第１コネクタ２４は、筐体１４の内部であってスロット１６の後方向側の端部に設けられたバックボード２６が有する第２コネクタ２８に接続される。スロット１６に挿入された基板２０は、後方向とは反対の方向である前方向（抜出方向）に沿ってスロット１６から抜き出すこともできる。
【００１６】
基板２０の前方向側の端部３０には、上述したフェイスプレート１２が取り付けられる。これにより、基板２０がバックボード２６に接続されるとき、ほとんど同時に、フェイスプレート１２によって当該スロット１６の開口部１８を覆うことができる。
【００１７】
図２Ａは、実施の形態のフェイスプレート１２の斜視図である。図２Ｂは、図２Ａの別視点である。
【００１８】
本実施の形態のフェイスプレート１２は、スロット１６に基板２０が挿入されたときにスロット１６の開口部１８を覆う本体部３２と、左右方向に関して本体部３２の両端側に設けられ、スロット１６と係合する係合部材３８と、を備える。
【００１９】
本体部３２は、図２Ａおよび図２Ｂに示されたように、矩形のプレート状の部材である。このように、本体部３２の形状は、開口部１８に対応する形状であることが好ましい。
【００２０】
係合部材３８は、スロット１６に係合する係合部４０を有する。本実施の形態の係合部４０は、スロット１６に形成された凹部（不図示）に係合する凸部である。フェイスプレート１２は、係合部４０とスロット１６とが係合することにより、スロット１６の開口部１８を覆った状態を維持することができる。これにより、スロット１６からの基板２０の抜け落ちが防止される。また、係合部材３８は、左右方向に撓むことができるような可撓性を有する。これにより、係合部４０が左右方向に移動できるようになる。
【００２１】
フェイスプレート１２は、左右方向に関して本体部３２の両端部３４、３６に設けられ、前方向に延びた２つのハンドル部４２を備える。なお、本実施の形態においては、端部３４は本体部３２の相対的に右方向側の部分であり、端部３６は本体部３２の相対的に左方向側の部分である。ハンドル部４２は、ハンドル部４２の基端部４４から前方向に平行に延びるように本体部３２に設けられた可撓性の支持部４６と、前方向に平行な方向を向いて支持部４６に支持された先端部４８と、を有する。なお、以下では、フェイスプレート１２の２つのハンドル部４２のうち、「右方向側のハンドル部４２」を「ハンドル部４２Ｒ」とも記載し、「左方向側のハンドル部４２」を「ハンドル部４２Ｌ」とも記載する。また、「ハンドル部４２Ｒの先端部４８」を「先端部４８Ｒ」とも記載し、「ハンドル部４２Ｌの先端部４８」を「先端部４８Ｌ」とも記載する。
【００２２】
図３は、実施の形態のフェイスプレート１２の側面図である。なお、この図３には、左方向側から見たときのフェイスプレート１２が部分的に示されている。
【００２３】
ハンドル部４２Ｒおよびハンドル部４２Ｌは、各々の基端部４４の位置が上下方向に関して互いに同じ位置となるように設けられている。ただし、先端部４８Ｒと先端部４８Ｌとは、上下方向に関して互いにずれるように設けられている。図３の例では、先端部４８Ｒが相対的に上方向にずれており、先端部４８Ｌが相対的に下方向にずれている。これにより、オペレータは、フェイスプレート１２の２つのハンドル部４２を摘むときに、上下方向に関してずれた２つの先端部４８を摘むことができる。なお、先端部４８Ｒが相対的に下方向にずれ、先端部４８Ｌが相対的に上方向にずれてもよい。
【００２４】
オペレータは、例えば、フェイスプレート１２および基板２０をスロット１６から取り外すときに、フェイスプレート１２の２つのハンドル部４２を摘む。このように、ハンドル部４２は、いわゆる「取手」としての役割を果たす。具体的には、フェイスプレート１２とスロット１６との係合を解除した状態で、オペレータがフェイスプレート１２のハンドル部４２を摘んで前方向側に引っ張る。これにより、フェイスプレート１２および基板２０をスロット１６から容易に取り外すことができる。
【００２５】
また、本実施の形態では、本体部３２の両端部３４、３６の各々の側において、ハンドル部４２が係合部材３８に取り付けられる。本実施の形態では、ハンドル部４２が可撓性を有する。したがって、ハンドル部４２は、自身の可撓性が許容する範囲内で左右方向に移動可能である。また、係合部材３８も可撓性を有するので、ハンドル部４２が移動することに伴って、係合部材３８も同じ方向に移動することができる。したがって、本実施の形態では、スロット１６と係合部材３８との係合を解除する方向にハンドル部４２を移動させることで、係合部材３８を解除する方向に移動させることができる。
【００２６】
「解除する方向」とは、係合部材３８の有する係合部４０がスロット１６から離れるような方向のことである。例えば、本体部３２の右方向側の端部３４においては、係合部材３８を左方向に移動させれば、係合部４０がスロット１６から離れる。したがって、ハンドル部４２Ｒにとっての「解除する方向」とは、「左方向」である。同様に、ハンドル部４２Ｌにとっての「解除する方向」とは、「右方向」である。
【００２７】
オペレータは、ハンドル部４２を摘むことで、当該ハンドル部４２および係合部材３８を解除する方向に移動させることができる。したがって、オペレータは、ハンドル部４２を摘むことで、スロット１６と係合部４０との係合を容易に解除することができる。また、オペレータは、そのままフェイスプレート１２を前方向に引っ張ることで、上述したとおりにフェイスプレート１２を容易にスロット１６から取り外すことができる。このように、本実施の形態のフェイスプレート１２は、スロット１６から取り外す作業をオペレータが容易に達成できるようになっている。
【００２８】
また、本実施の形態では、ハンドル部４２Ｒとハンドル部４２Ｌとの各々の基端部４４が、上下方向に関して互いに同じ位置にある。この配置は、オペレータがハンドル部４２Ｒを右手で摘まみ、且つ、ハンドル部４２Ｌを左手で摘むことでフェイスプレート１２の取り外しを行うことを想定したときに、ハンドル部４２Ｒとハンドル部４２Ｌとに均等な力を加えやすい配置である。
【００２９】
図４は、実施の形態の電子装置１０の斜視図（その２）である。
【００３０】
図４には、以上で説明されるフェイスプレート１２が取り付けられた基板２０をスロット１６に挿入したときの、電子装置１０の一例が示されている。図４に示された複数のフェイスプレート１２のうち、左右方向で隣接した特定の２つのフェイスプレート１２を、便宜的に、それぞれフェイスプレート１２Ａ、フェイスプレート１２Ｂとする。相対的に左方向側がフェイスプレート１２Ａであり、相対的に右方向側がフェイスプレート１２Ｂである。図４からも分かるように、フェイスプレート１２Ａとフェイスプレート１２Ｂとにおいては、フェイスプレート１２Ａのハンドル部４２Ｒとフェイスプレート１２Ｂのハンドル部４２Ｌとが隣接する。
【００３１】
図５は、フェイスプレート１２’が取り付けられた電子装置１０’の斜視図である。
【００３２】
ここで、２つのハンドル部４２の各々の先端部４８が上下方向に関してずれていないフェイスプレート１２’（フェイスプレート１２Ａ’、フェイスプレート１２Ｂ’）、およびフェイスプレート１２’を有する電子装置１０’について説明する。なお、電子装置１０’およびフェイスプレート１２’は、２つのハンドル部４２の各々の先端部４８が上下方向に関してずれていないという点を除き、電子装置１０およびフェイスプレート１２と同様の構成を有していることとする。したがって、電子装置１０’では、フェイスプレート１２Ａ’とフェイスプレート１２Ｂ’とが左右方向に隣接するとき、フェイスプレート１２Ａ’のハンドル部４２Ｒとフェイスプレート１２Ｂ’のハンドル部４２Ｌとが隣接する。
【００３３】
フェイスプレート１２Ａ’をスロット１６から取り外すには、フェイスプレート１２Ａ’のハンドル部４２Ｒおよびハンドル部４２Ｌの両方をオペレータが摘まみ、引っ張ればよい。しかしながら、例えば電子装置１０’の筐体１４が小型であると、フェイスプレート１２Ａ’のハンドル部４２Ｒとフェイスプレート１２Ｂ’のハンドル部４２Ｌとの距離が非常に近くなっているおそれがある。また、仮に、電子装置１０’の筐体１４が小型でなくても、スロット１６が密集して形成されていれば、フェイスプレート１２Ａ’のハンドル部４２Ｒとフェイスプレート１２Ｂ’のハンドル部４２Ｌとの距離が近くなっているおそれがある。そのような場合においては、フェイスプレート１２Ｂ’のハンドル部４２Ｌがフェイスプレート１２Ａ’のハンドル部４２Ｒを摘むときの邪魔になる。その結果、オペレータは、電子装置１０’からフェイスプレート１２Ａ’を容易に取り外すことができない。このように、電子装置１０’においては、フェイスプレート１２Ａ’とフェイスプレート１２Ｂ’とが隣接しているときに、フェイスプレート１２Ａ’またはフェイスプレート１２Ｂ’の取り外し作業が行いにくいという問題がある。
【００３４】
本実施の形態（図４）に戻り、オペレータは、フェイスプレート１２Ａをスロット１６から取り外すときには、フェイスプレート１２Ａの相対的に上方向にずれた先端部４８Ｒを摘むことができる。このとき、フェイスプレート１２Ａに左右方向で隣接したフェイスプレート１２Ｂの先端部４８Ｌは、先端部４８Ｒに対して相対的に下方向にずれている。したがって、フェイスプレート１２Ｂの先端部４８Ｌは、オペレータがフェイスプレート１２Ａの先端部４８Ｒを摘むときの邪魔になりにくい。このように、本実施の形態のフェイスプレート１２は、隣接した一方のフェイスプレート１２Ａのハンドル部４２Ｒの先端部４８Ｒを、他方のフェイスプレート１２Ｂのハンドル部４２Ｌを避けつつ摘むことが、オペレータにとって容易である。
【００３５】
なお、言うまでもないが、以上で説明される内容は、図４に示されたフェイスプレート１２Ａおよびフェイスプレート１２Ｂのみならず、左右方向で隣接した２つのフェイスプレート１２の組であれば、上記と同様の説明が適用される。
【００３６】
また、上記では説明を省略したが、筐体１４のスロット１６には、前後方向に沿って基板２０を案内するガイドレールが設けられてもよい。これにより、基板２０を容易にスロット１６に挿抜することができる。
【００３７】
また、これも上記では説明を省略したが、基板２０の、例えば前方向側の端部３０に、外部接続用の接続端子が設けられてもよい。その場合に、フェイスプレート１２の本体部３２の、上記接続端子と対向する部分には、その接続端子を前方向側に露出させる端子用の開口が設けられてもよい。これにより、電子装置１０以外の機器と上記接続端子とを、基板２０をスロット１６に挿入した状態のまま、本体部３２の上記開口を介して電気的に接続することができる。
【００３８】
［変形例］
以上、本発明の一例として実施の形態が説明されたが、上記実施の形態に、多様な変更または改良を加えることが可能であることはもちろんである。その様な変更または改良を加えた形態も本発明の技術的範囲に含まれ得ることが、特許請求の範囲の記載から明らかである。
【００３９】
（変形例１）
図６Ａは、変形例１のフェイスプレート１２の側面図である。図６Ｂは、変形例１のもう一つのフェイスプレート１２の側面図である。
【００４０】
先端部４８Ｒと先端部４８Ｌとは、実施の形態とは異なる方向を向くように変更されてもよい。例えば、先端部４８Ｒは前方向の上下方向の一方側に向かって斜めを向き、先端部４８Ｌは前方向の上下方向の他方側に向かって斜めを向いてもよい。
【００４１】
図６Ａには、先端部４８Ｒが前方向の上方向側に向かって斜めを向き、先端部４８Ｌは前方向の下方向側に向かって斜めを向いた例が示されている。なお、先端部４８Ｒが前方向の下方向側に向かって斜めを向き、先端部４８Ｌが前方向の上方向側に向かって斜めを向いてもよい。
【００４２】
また、本変形例のもう一つの形態として、先端部４８Ｒは上下方向と平行であって上下方向の一方側の方向を向き、先端部４８Ｌは上下方向と平行であって上下方向の他方側の方向を向いてもよい。
【００４３】
図６Ｂには、先端部４８Ｒが上下方向に平行な上方向を向き、先端部４８Ｌが上下方向に平行な下方向を向いた例が示されている。なお、先端部４８Ｒが上下方向に平行な下方向を向き、先端部４８Ｌが上下方向に平行な上方向を向いてもよい。
【００４４】
このように、本変形例では、先端部４８Ｒと先端部４８Ｌとのそれぞれが、上下方向の一方と他方とのそれぞれを向く。これにより、左右方向に隣接した２つのフェイスプレート１２において、相対的に右方向側のフェイスプレート１２のハンドル部４２Ｌが、相対的に左方向側のフェイスプレート１２の先端部４８Ｒを摘むときの邪魔になるおそれが、より一層低減される。同様に、相対的に左方向側のフェイスプレート１２のハンドル部４２Ｒが、相対的に右方向側のフェイスプレート１２の先端部４８Ｌを摘むときの邪魔になるおそれが、より一層低減される。
【００４５】
（変形例２）
図７Ａは、変形例２のフェイスプレート１２の斜視図である。図７Ｂは、図７Ａの別視点（側面図）である。
【００４６】
実施の形態では、２つのハンドル部４２の各々の基端部４４は、上下方向に関して互いに同じ位置であった。２つのハンドル部４２の各々の基端部４４は、上下方向に関して互いにずれてもよい。図７Ａおよび図７Ｂには、ハンドル部４２Ｒの基端部４４（基端部４４Ｒ）を相対的に上方向にずらし、ハンドル部４２Ｌの基端部４４（基端部４４Ｌ）を相対的に下方向にずらした例が示されている。なお、基端部４４Ｒが相対的に下方向にずれ、基端部４４Ｌが相対的に上方向にずれてもよい。
【００４７】
これにより、左右方向に隣接した２つのフェイスプレート１２において、相対的に右方向側のフェイスプレート１２のハンドル部４２Ｌが、相対的に左方向側のフェイスプレート１２のハンドル部４２Ｒを摘むときの邪魔になるおそれが、より一層低減される。同様に、相対的に左方向側のフェイスプレート１２のハンドル部４２Ｒが、相対的に右方向側のフェイスプレート１２のハンドル部４２Ｌを摘むときの邪魔になるおそれが、より一層低減される。
【００４８】
（変形例３）
図８Ａは、変形例３のフェイスプレート１２の斜視図である。図８Ｂは、図８Ａの別視点（側面図）である。
【００４９】
実施の形態では、ハンドル部４２Ｒの支持部４６およびハンドル部４２Ｌの支持部４６は、いずれも前方向に平行な方向に延びていることとして説明した。ハンドル部４２Ｒの支持部４６（支持部４６Ｒ）は、ハンドル部４２Ｒの基端部４４から前方向の上下方向の一方側に向かって斜めに延びてもよい。また、ハンドル部４２Ｌの支持部４６（支持部４６Ｌ）は、ハンドル部４２Ｌの基端部４４から前方向の上下方向の他方側に向かって斜めに延びてもよい。
【００５０】
図８Ａおよび図８Ｂでは、ハンドル部４２Ｒについて支持部４６Ｒが基端部４４Ｒから前方向の上方向側に向かって斜めに延びている。また、図８Ａおよび図８Ｂでは、ハンドル部４２Ｌについて支持部４６Ｌが基端部４４Ｌから前方向の下方向側に向かって斜めに延びている。なお、支持部４６Ｒが基端部４４Ｒから前方向の下方向側に向かって斜めに延び、支持部４６Ｌが基端部４４Ｌから前方向の上方向側に向かって斜めに延びてもよい。
【００５１】
また、本変形例を適用するときには、先端部４８の方向も適宜変更されてよい。図８Ａおよび図８Ｂでは、先端部４８Ｒが支持部４６Ｒと同じ方向、つまり、前方向の上方向側に向かって斜めを向いており、先端部４８Ｌが支持部４６Ｌと同じ方向、つまり、前方向の下方向側に向かって斜めを向いている。これを変更し、例えば、先端部４８Ｒおよび先端部４８Ｌは、実施の形態と同様に、前方向と平行な方向を向いてもよい。また、例えば、先端部４８Ｒおよび先端部４８Ｌは、変形例１のもう一つの形態と同様に、先端部４８Ｒが上方向に平行な方向を向き、先端部４８Ｌが下方向に平行な方向を向いてもよい。
【００５２】
これにより、左右方向に隣接した２つのフェイスプレート１２において、相対的に右方向側のフェイスプレート１２のハンドル部４２Ｌが、相対的に左方向側のフェイスプレート１２のハンドル部４２Ｒを摘むときの邪魔になるおそれが、より一層低減される。同様に、相対的に左方向側のフェイスプレート１２のハンドル部４２Ｒが、相対的に右方向側のフェイスプレート１２のハンドル部４２Ｌを摘むときの邪魔になるおそれが、より一層低減される。
【００５３】
（変形例４）
上記した実施の形態および各変形例は、矛盾の生じない範囲内で適宜組み合わされてもよい。
【００５４】
［実施の形態から得られる発明］
上記実施の形態および変形例から把握しうる発明について、以下に記載する。
【００５５】
＜第１の発明＞
第１の発明は、スロット（１６）への基板（２０）の挿入方向とは反対方向の抜出方向側で、前記基板（２０）に取り付けられるフェイスプレート（１２）であって、前記スロット（１６）に前記基板（２０）が挿入されたときに前記スロット（１６）の開口部（１８）を覆う本体部（３２）と、前記基板（２０）の幅方向に関して前記本体部（３２）の両端部（３４、３６）に設けられ、前記抜出方向に延びた２つのハンドル部（４２）と、を備え、２つの前記ハンドル部（４２）の各々の先端部（４８）は、前記基板（２０）の厚み方向に関して互いにずれている。
【００５６】
これにより、複数が隣接して設けられたとしても、ハンドル部（４２）の先端部（４８）を、隣接した他のフェイスプレート（１２）のハンドル部（４２）を避けつつ摘むことが容易なフェイスプレート（１２）が提供される。
【００５７】
２つの前記ハンドル部（４２）の各々の前記先端部（４８）は、前記抜出方向に平行な方向を向いてもよい。これにより、オペレータは、フェイスプレート（１２）の２つのハンドル部（４２）を摘むときに、厚み方向に関してずれ、且つ抜出方向に平行な２つの先端部（４８）を摘むことができる。
【００５８】
２つの前記ハンドル部（４２）のうちの一方の前記先端部（４８）は、前記抜出方向の前記厚み方向の一方側に向かって斜めを向き、２つの前記ハンドル部（４２）のうちの他方の前記先端部（４８）は、前記抜出方向の前記厚み方向の他方側に向かって斜めを向いてもよい。これにより、２つのフェイスプレート（１２）が幅方向に隣接したときであっても、２つのフェイスプレート（１２）のうちの一方のハンドル部（４２）の先端部（４８）を摘むことが、より容易に達成できる。
【００５９】
２つの前記ハンドル部（４２）のうちの一方の前記先端部（４８）は、前記厚み方向と平行であって前記厚み方向の一方側の方向を向き、２つの前記ハンドル部（４２）のうちの他方の前記先端部（４８）は、前記厚み方向と平行であって前記厚み方向の他方側の方向を向いてもよい。これにより、２つのフェイスプレート（１２）が幅方向に隣接したときであっても、２つのフェイスプレート（１２）のうちの一方のハンドル部（４２）の先端部（４８）を摘むことが、より容易に達成できる。
【００６０】
２つの前記ハンドル部（４２）の各々の基端部（４４）は、前記厚み方向に関して互いに同じ位置でもよい。これにより、オペレータが２つのハンドル部（４２）に均等な力を加えやすくなる。
【００６１】
２つの前記ハンドル部（４２）のうちの一方は、前記一方の前記ハンドル部（４２）の基端部（４４）から前記抜出方向の前記厚み方向の一方側に向かって斜めに延び、２つの前記ハンドル部（４２）のうちの他方は、前記他方の前記ハンドル部（４２）の基端部（４４）から前記抜出方向の前記厚み方向の他方側に向かって斜めに延びてもよい。これにより、２つのフェイスプレート（１２）が幅方向に隣接したときであっても、２つのフェイスプレート（１２）のうちの一方のハンドル部（４２）を摘むことが、より容易に達成できる。
【００６２】
前記本体部（３２）の両端側で前記スロット（１６）と係合する係合部材（３８）をさらに備え、前記ハンドル部（４２）は、前記係合部材（３８）に取り付けられ、前記ハンドル部（４２）は、前記スロット（１６）と前記係合部材（３８）との係合を解除する方向に移動したとき、前記スロット（１６）と前記係合部材（３８）との係合を解除してもよい。これにより、フェイスプレート（１２）をスロット（１６）から取り外す作業を、オペレータが容易に達成可能となる。
【００６３】
＜第２の発明＞
第２の発明は、基板（２０）が挿入方向に沿って挿入されるスロット（１６）が形成された筐体（１４）を有する電子装置（１０）であって、前記スロット（１６）は、前記スロット（１６）の開口部（１８）が前記基板（２０）の幅方向に沿って互いに隣接するように、前記筐体（１４）に少なくとも２つ形成され、前記挿入方向とは反対方向の抜出方向側で前記基板（２０）に取り付けられるフェイスプレート（１２）を備え、前記フェイスプレート（１２）は、前記スロット（１６）に前記基板（２０）が挿入されたときに前記スロット（１６）の開口部（１８）を覆う本体部（３２）と、前記幅方向に関して前記本体部（３２）の両端部（３４、３６）に設けられ、前記抜出方向に延びた２つのハンドル部（４２）と、を有し、前記幅方向に沿って互いに隣接する２つの前記フェイスプレート（１２）の各々において、２つの前記ハンドル部（４２）の各々の先端部（４８）は、前記基板（２０）の厚み方向に関して互いにずれており、且つ、一方の前記フェイスプレート（１２Ａ）の、他方の前記フェイスプレート（１２Ｂ）側の前記ハンドル部（４２）の先端部（４８）と、前記他方の前記フェイスプレート（１２Ｂ）の、前記一方の前記フェイスプレート（１２Ａ）側の前記ハンドル部（４２）の前記先端部（４８）とは、前記厚み方向に関して互いにずれている。
【００６４】
これにより、複数のフェイスプレート（１２Ａ、１２Ｂ）が隣接して設けられたとしても、一方のフェイスプレート（１２Ａ）のハンドル部（４２）の先端部（４８）を、他方のフェイスプレート（１２Ｂ）のハンドル部（４２）を避けつつ摘むことが容易な電子装置（１０）が提供される。
【００６５】
第２の発明では、前記フェイスプレート（１２）において、２つの前記ハンドル部（４２）の各々の前記先端部（４８）は、前記抜出方向に平行な方向を向いてもよい。これにより、オペレータは、フェイスプレート（１２）の２つのハンドル部（４２）を摘むときに、厚み方向に関してずれ、且つ抜出方向に平行な２つの先端部（４８）を摘むことができる。
【００６６】
第２の発明では、前記フェイスプレート（１２）において、２つの前記ハンドル部（４２）のうちの一方の前記先端部（４８）は、前記抜出方向の前記厚み方向の一方側に向かって斜めを向き、他方の前記先端部（４８）は、前記抜出方向の前記厚み方向の他方側に向かって斜めを向いてもよい。これにより、２つのフェイスプレート（１２）が幅方向に隣接したときであっても、２つのフェイスプレート（１２）のうちの一方のハンドル部（４２）の先端部（４８）を摘むことが、より容易に達成できる。
【００６７】
第２の発明では、前記フェイスプレート（１２）において、２つの前記ハンドル部（４２）のうちの一方の前記先端部（４８）は、前記厚み方向と平行であって前記厚み方向の一方側の方向を向き、他方の前記先端部（４８）は、前記厚み方向と平行であって前記厚み方向の他方側の方向を向いてもよい。これにより、２つのフェイスプレート（１２）が幅方向に隣接したときであっても、２つのフェイスプレート（１２）のうちの一方のハンドル部（４２）の先端部（４８）を摘むことが、より容易に達成できる。
【００６８】
第２の発明では、前記フェイスプレート（１２）において、２つの前記ハンドル部（４２）の各々の基端部（４４）は、前記厚み方向に関して互いに同じ位置でもよい。これにより、オペレータが２つのハンドル部（４２）に均等な力を加えやすくなる。
【００６９】
第２の発明では、前記フェイスプレート（１２）において、２つの前記ハンドル部（４２）のうちの一方の前記ハンドル部（４２）は、前記一方の前記ハンドル部（４２）の基端部（４４）から前記抜出方向の前記厚み方向の一方側に向かって斜めに延び、他方の前記ハンドル部（４２）は、前記他方の前記ハンドル部（４２）の基端部（４４）から前記抜出方向の前記厚み方向の他方側に向かって斜めに延びてもよい。これにより、２つのフェイスプレート（１２）が幅方向に隣接したときであっても、２つのフェイスプレート（１２）のうちの一方のハンドル部（４２）を摘むことが、より容易に達成できる。
【００７０】
第２の発明では、前記フェイスプレート（１２）は、前記本体部（３２）の両端側で前記スロット（１６）と係合する係合部材（３８）をさらに備え、前記ハンドル部（４２）は、前記係合部材（３８）に取り付けられ、前記ハンドル部（４２）は、前記スロット（１６）と前記係合部材（３８）との係合を解除する方向に移動したとき、前記スロット（１６）と前記係合部材（３８）との係合を解除してもよい。これにより、フェイスプレート（１２）をスロット（１６）から取り外す作業を、オペレータが容易に達成可能となる。
【符号の説明】
【００７１】
１０、１０’…電子装置
１２（１２Ａ、１２Ｂ）、１２’（１２Ａ’、１２Ｂ’）…フェイスプレート
１４…筐体                              １６…スロット
１８…開口部                            ２０…基板
２２…基板の挿入方向側の端部            ２４…第１コネクタ
２６…バックボード                      ２８…第２コネクタ
３０…基板の抜出方向側の端部            ３２…本体部
３４…本体部の右方向側の端部            ３６…本体部の左方向側の端部
３８…係合部材                          ４０…係合部
４２（４２Ｌ、４２Ｒ）…ハンドル部      ４４（４４Ｌ、４４Ｒ）…基端部
４６…（４６Ｌ、４６Ｒ）支持部          ４８（４８Ｌ、４８Ｒ）…先端部
【図１】
2020136317.tif 000003
【図２】
2020136317.tif 000004
【図３】
2020136317.tif 000005
【図４】
2020136317.tif 000006
【図５】
2020136317.tif 000007
【図６】
2020136317.tif 000008
【図７】
2020136317.tif 000009
【図８】
2020136317.tif 000010